(57)【特許請求の範囲】
【請求項１】
固定子スタックと、複数のスロットと、前記スロットにそれぞれ挿入される複数の巻線（２）と、前記スロットと前記巻線との間にそれぞれ設けられた複数の絶縁板と、前記巻線を終端する複数のリード線とを備え、
−前記固定子に固着され、前記巻線から延出する前記リード線が直接到達する絶縁性小ブロック（１）が設けられ、
−前記小ブロックには、前記巻線から延出するリード線と、対応する外部電源の導線（３）との接続部をそれぞれ収容する複数の凹部（４）が設けられ、前記各凹部はセパレータによって分離されており、
−前記小ブロックにはさらに、互いに隣接する一対の巻線の間で利用できる隙間に確実に導入することができ、前記固定子スタックの表面と接触して配置される単一の突起部（６）が設けられていることを特徴とする特に家庭用冷却装置用の電動圧縮機。
【請求項２】
部分的に外部へ開放され、前記外部電源の導線を保持するようになっており、前記接続部を収容する前記それぞれの凹部（４）に向けて方向付けられてその内部に通じ開いている溝（９）が設けられていることを特徴とする請求の範囲第１項に記載の圧縮機。
【請求項３】
前記突起部には、前記固定子の本体に対向し、少なくともその一部が固定子に密接する平面（８）が設けられていることを特徴とする請求の範囲第１項または第２項に記載の圧縮機。
【請求項４】
前記小ブロックには、前記巻線に向かって弧状に湾曲し、前記巻線の外面の一部に付設されるように形成され、前記小ブロックの中央本体を挟んで相対向する側に配置された二つの側板（１１、１２）が設けられていることを特徴とする請求の範囲第１項〜第３項のいずれかに記載の圧縮機。
【請求項５】
前記二つの側板には、前記巻線のコイルの周囲に巻回される結索繊条（１３）と係合すべく外向きに方向付けられた凸部（１４）が設けられていることを特徴とする請求の範囲第４項に記載の圧縮機。
【請求項６】
前記側板は、前記固定子スタックの表面から分離され、ほぼ対称であり、前記突起部（６）が前記固定子スタックと接触している側とは反対側の前記ブロック上に位置するように設けられることを特徴とする請求の範囲第２項または第３項に記載の圧縮機。
【発明の詳細な説明】
この発明は、電動モータの固定子から延出するリード線と、前記リード線をそれぞれ外部電源および制御回路に接続する導線とを収容し結合するとともに互いに接続するために設けられる構成の特有の形態に関する。
以下の記述において、説明を簡略化するために、冷却装置用圧縮機の電動モータに用いる固定子について記載したが、本発明は、添付の請求の範囲に記載されたものであれば、実際には様々な装置に用いられる固定子にも適用されうるものであることが理解されよう。
従来より、一般に、始動時にのみ補助巻線を回路に有する非同期単相モータを使用する冷却装置用電動圧縮機が知られている。
この種のモータは、三種類の出力用リード線（共通、一次巻線、二次巻線）を備える。これらの出力用リード線は、通常、圧着または溶接によりそれぞれ外部導線に接続される。そして、その接続箇所は熱収縮チューブを用いて保護される。
密閉された箱の外面との接続は、前記箱に装着され且つ外部導線が接続された特別なブロックを介して行われる。
しかし、このような製造技術には、実際、いくつかの欠点がある。まず、接続箇所を圧着し、熱収縮チューブで保護して、巻線内にある隙間に収容するという工程をすべて手作業で行わなければならないのでコストが高くなる一方、リード線が破断しやすいため、品質が低下するという問題がある。また、このように製作した電気的接続の導通状態を製造ラインの途中で自動的に試験することができないため、製造品質はさらに低下し、それに応じて製造ラインの終端にある試験ステーションで排除される製品の数が増大することになる。
本願出願人が出願したイタリア実用新案出願第ＰＮ９４Ｕ００００４０号により知られる接続用ブロックは、二対以上の巻線の間に存在する隙間に確実に挿着され、固定子の一つの表面に固接されるようになっている。上記実用新案出願によるブロックには、複数の突起部が設けられており、ブロック自体を巻線により確実に装着することができる。さらに、このブロックには、複数の切欠きが設けられており、各切欠きは、巻線のリード線末端部と、外部電源の導線の末端部と、これらの末端部どうしを導通させるための電気的接続とをそれぞれ収容するものである。
上記解決策は効果的で且つ有効ではあるが、実際の大規模な工業的製造工程では、以下のことを考慮すると、使用原材料の面で得られる節約効果の点で更なる改良の余地が存在することが実験的に判明した。すなわち上記解決策においては、外部導線をブロックに適切に挿入する必要があり、このような作業は原材料および付加的な所要作業量の点で、明らかにコストがかかることが容易に理解されよう。これは、導線を余計に延長する必要が生じるとともに、リード線と、対応する延長線とを接続する工程を手作業で行う必要があり、さらに、リード線および導線に予期せずに加わる引張り力に対して適切に抵抗できるようにその接続箇所を巻線体の中に押し込んで固定しなければならないためである。
一方、ダンフォス社のイギリス特許明細書第ＧＢ２００２９６９号によっても解決策が知られている。これは、固定子巻線と、対応する外部リード線とを接続する手段として端子を用いたものである。しかし、そのような構成部材を自動化された方法によって組み込むことは不可能である。また、その部材は、本質的に巻線によってのみ保持されているので、位置決めや安定性を考えると、その接続部は信頼性および確実性に欠けるといえよう。
そこで、本発明の主たる目的は、高度に自動化且つ標準化された方法で製造され、使用される生産技術に固有の高い品質を確保しつつ上述の手作業の工程を省くことができ、さらにはコストパフォーマンスの高い簡易な方法により当該技術分野において直ちに利用可能な原材料および技術を用いて製造することのできる冷却用圧縮機のモータに用いる固定子を提供することである。
かかる目的を達成する圧縮機を、添付の図面を参照し、限定を意図しない実施例を通して以下に説明する。
−図１および２は、それぞれ、本発明の詳細部を示す上面図および下面図である。
−図３は、上述した図面中の前記詳細部を外側から見た正面図である。
−図４は、前記詳細部の横断面図である。
−図５は、上述した図面中の前記詳細部を、図３とは反対の側から見た正面図である。
−図６は、前記と同じ構成部材の側面図である。
−図７は、上述した図面中の前記構成部材を図４と同様に切断した状態の、本発明にかかる固定子の垂直断面図である。
−図８は、本発明にかかる固定子をその中心線に沿って外側から見た図である。
−図９は、本発明にかかる固定子スタックの中間付近において、その中心線と直交する面に沿って外側から見た図である。
この発明は、本質的に、巻線２より延出した導線（図示せず）および外部電源の導線３を接続するための絶縁性小型ブロック１を備える。
所望の簡易化および低コスト化を達成すべく、それぞれの巻線より延出するリード線は、延長用導線により接続される代わりに、それ自身が延出して直接前記接続用ブロック１に到達することで固定子との接続を実現する。外部導線３は、その接続を確実にするために、簡易な電気的接続手段、例えば圧着等の簡易な技術等によりそれぞれの巻線リード線の接続される。なお、後に詳しく説明する理由から、接続箇所は保護しない形式としてもよい。
一般に、上述した接続箇所の全体に安定性をもたせるために、前記接続用ブロック１には、複数の個別の凹部４が設けられる。この凹部４は、側面に設けられ、適切な区画用バフル５によって互いに分離される。そして、巻線リード線と外部導線との接続箇所は、この凹部４に押し込まれる。したがって、前記導線の接続箇所はそれぞれの凹部に押し込まれると、前記区画用バフル５によって互いに自動的に絶縁されるので、前記区画用バフル５が存在することにより、その接続箇所に電気的絶縁性をもたせる必要がなくなることは明らかである。
接続用ブロックの位置を決定し固定すべく、前記ブロックには突起部６が設けられている。この突起部６は、固定子スタック７のスロットに差し込まれた、互いに隣接する一対の巻線の間に存在する隙間に押し込まれる。
特に、突起部７に適切な形状及びサイズとされた平面部８を設ければ、突起部を前記隙間に、前記平面部を固定子スタックの表面に密着させつつ挿入することができる。それにより、互いに隣接する巻線から突起部に圧力が印加され、前記ブロックを安定した位置に確実に保持することができる。
巻線リード線と外部電源導線との電気的接続を有効に位置決めすべく、前記凹部の端縁に、それぞれの凹部に通ずるように開けられた溝９を設ける。外部導線をそれぞれ押し込んで挿入すべく設けられた溝９に、好ましくは図３に示すような一方向に規制する形態のくびれ１１を設ける。それにより、外部導線は、溝９内に一度挿入されると、たとえ引張り力や張力、衝撃力がある程度まで作用したとしても、再び溝から飛び出すことはない。
また、前記接続用ブロックの位置をさらに確実に安定させるのに有効な改良として、このブロックに二つの側板１１、１２を設ける。この側板１１、１２は、図１、２、８および９に特に示すように、巻線のほぼ円筒状の表面に対して付設されることのできるような形状に形成される。
好ましくは、これら側板は、ブロックの中心を通る垂直面に関して面対称であり、前記突起部６が設けられたブロック上の位置とは反対側に設けることで、隣接する巻線による圧力および抗力を突起部および側板の両方に相互に作用させて、ブロックを安定な位置に保持することができる。
また、前記ブロックの位置を有効に固定すべく、このブロックは、一般に巻線をまとめるのに用いられる繊条１３により巻線と共に結びつけられる。
また、この結びつけている繊条が側板の外側表面からずれて外れるのを防ぐべく、図１、２および３に示すように、側板の外側表面に、繊条の巻かれた方向と平行に凸部１４が設けられる。
このように凸部を設けたことにより、繊条に引張り力と相俟って、接続用ブロックを所望の位置で確実に安定させることができるとともに、固定することができる。
添付の図面を参照した上記の説明は、単に本発明の限定を意図しない実施例を説明したものであり、その変更例および改良例は、本発明の範囲を逸脱することなくなされることが理解されよう。
【図１】
0003897817.tif 000002
【図２】
0003897817.tif 000003
【図３】
0003897817.tif 000004
【図４】
0003897817.tif 000005
【図５】
0003897817.tif 000006
【図６】
0003897817.tif 000007
【図７】
0003897817.tif 000008
【図８】
0003897817.tif 000009
【図９】
0003897817.tif 000010